(57)【要約】      （修正有）【課題】複数の導線が基板の上面に列状に並設されて基板の幅が大きくなるという課題を解決するためのフィラメント構造及び照明器具を提供する。【解決手段】フィラメント構造１００は長尺状に設けられた基板１と、基板上に取り付けられた複数組の発光チップと、各組の発光チップをそれぞれ直列又は並列に接続する複数の導線と、各導線の両端にそれぞれ接続される複数の正極配線端子及び複数の負極配線端子と、を備え、複数の導線が２組に分けられ、２組の導線が基板の幅方向に沿って基板の両面にそれぞれ設けられている。基板の幅方向に沿って、２組の導線をそれぞれ基板の上面と下面に設けることにより、導線が基板の上面のみに配置されることで占められる幅を小さくすることができ、隣接する２本の導線上の発光チップを基板の幅方向に位置ずれに分布させ、そして基板の長手方向に部分的に重ねさせることが実現でき、基板の幅を小さくすることができる。【選択図】図４
0003232477.tif 000002
【実用新案登録請求の範囲】
【請求項１】
長尺状に設けられた基板と、前記基板上に取り付けられた複数組の発光チップと、各組の前記発光チップをそれぞれ直列又は並列に接続する複数の導線と、各前記導線の両端にそれぞれ接続される複数の正極配線端子及び複数の負極配線端子と、を備えるフィラメント構造であって、複数の前記正極配線端子と複数の前記負極配線端子とがそれぞれ前記基板の両端に設けられ、
複数の前記導線が２組に分けられ、２組の前記導線が前記基板の幅方向に沿って前記基板の両面にそれぞれ設けられていることを特徴とするフィラメント構造。
【請求項２】
各前記導線は、前記基板の上面に設けられた第１導電線と、前記基板の下面に設けられた第２導電線と、を含み、
前記基板には、複数の貫通孔が間隔をおいて開設されており、各前記貫通孔には、各前記第１導電線と対応する前記第２導電線とを接続する導電接続線が取り付けられている
ことを特徴とする請求項１に記載のフィラメント構造。
【請求項３】
前記基板は、複数の前記貫通孔が間隔をおいて開設されたボトムプレートと、各前記第１導電線と前記ボトムプレートとを接続し、各前記第２導電線と前記ボトムプレートとを接続する硬化接着剤層と、を備える
ことを特徴とする請求項２に記載のフィラメント構造。
【請求項４】
前記基板は、各前記第１導電線及び各前記第２導電線をそれぞれカバーする保護膜層をさらに備え、各前記第１導電線をカバーする前記保護膜層には、当該第１導電線の一部を露出させるためのノッチが開設されている
ことを特徴とする請求項３に記載のフィラメント構造。
【請求項５】
前記保護膜層は、それぞれ前記ボトムプレートの両側に設けられたトッププレートと、各前記第１導電線と対応する前記トッププレートとの間、及び各前記第２導電線と対応する前記トッププレートとの間にそれぞれ設けられた絶縁層と、を備え、
各前記ノッチは、対応する前記トッププレートに開設された第１貫通孔と、対応する前記絶縁層に開設された第２貫通孔とを含み、各前記第１貫通孔は対応する前記第２貫通孔と連通している
ことを特徴とする請求項４に記載のフィラメント構造。
【請求項６】
各前記第１導電線と、対応する前記第２導電線と、対応する前記導電接続線とが一体成形されている
ことを特徴とする請求項２から５のいずれか一項に記載のフィラメント構造。
【請求項７】
前記フィラメント構造は、各前記発光チップを封止する封止剤層をさらに備え、前記封止剤層が前記基板上に設けられている
ことを特徴とする請求項１から５のいずれか一項に記載のフィラメント構造。
【請求項８】
複数組の前記発光チップは、若干数の赤色発光源と、若干数の緑色発光源と、若干数の青色発光源とを含む３組に分けられ、
複数の前記導線は、若干数の前記赤色発光源を電気的に接続する第１金属線と、若干数の前記緑色発光源を電気的に接続する第２金属線と、若干数の前記青色発光源を電気的に接続する第３金属線とを含む
ことを特徴とする請求項１から５のいずれか一項に記載のフィラメント構造。
【請求項９】
口金と、前記口金に取り付けられた駆動部材と、前記口金をカバーするように設けられた電球ハウジングと、前記口金に取り付けられた電球芯部と、請求項１〜８のいずれか一項に記載のフィラメント構造と、を備える照明器具であって、
前記駆動部材の一端は前記口金に電気的に接続され、前記駆動部材の他端は前記電球芯部に電気的に接続され、前記フィラメント構造の前記基板の両端はそれぞれ前記電球芯部に電気的に接続されることを特徴とする照明器具。
【請求項１０】
前記フィラメント構造の数が２つであり、各前記フィラメント構造が螺旋状を呈して設けられていることを特徴とする請求項９に記載の照明器具。
【考案の詳細な説明】
【技術分野】
【０００１】
本出願は照明設備の分野に属し、より具体的には、フィラメント構造及びそれを用いた照明器具に関するものである。
【背景技術】
【０００２】
現在、既存のＲＧＢ／ＲＧＢＷ／ＲＧＢＴＷなどの多色パッケージのフィラメント構造は、色温度の異なる複数の発光チップを用いて多色発光を実現している。図１に示すように、複数の発光チップ３が基板１の上面に列状に並設されているため、基板１上の各発光チップ３を接続するための導線２も基板１上に列状に配置されることになり、複数の導線２が基板１の幅を大きく占めていることにより、基板１の幅が大きくなる。
【考案の概要】
【考案が解決しようとする課題】
【０００３】
本出願の実施例は、関連技術において複数の導線が基板の上面に列状に並設されて基板の幅が大きくなるという課題を解決するためのフィラメント構造及び照明器具を提供することが目的とする。
【課題を解決するための手段】
【０００４】
上記の目的を実現するために、本考案で採用された技術的解決手段は、
第一態様は、長尺状に設けられた基板と、前記基板上に取り付けられた複数組の発光チップと、各組の前記発光チップをそれぞれ直列又は並列に接続する複数の導線と、各前記導線の両端にそれぞれ接続される複数の正極配線端子及び複数の負極配線端子と、を備えるフィラメント構造であって、複数の前記正極配線端子と複数の前記負極配線端子とがそれぞれ前記基板の両端に設けられ、複数の前記導線が２組に分けられ、２組の前記導線が前記基板の幅方向に沿って前記基板の両面にそれぞれ設けられているフィラメント構造を提供する。
【０００５】
一実施例において、各前記導線は、前記基板の上面に設けられた第１導電線と、前記基板の下面に設けられた第２導電線と、を含み、前記基板には、複数の貫通孔が間隔をおいて開設されており、各前記貫通孔には、各前記第１導電線と対応する前記第２導電線とを接続する導電接続線が取り付けられている。
【０００６】
一実施例において、前記基板は、複数の前記貫通孔が間隔をおいて開設されたボトムプレートと、各前記第１導電線と前記ボトムプレートとを接続し、各前記第２導電線と前記ボトムプレートとを接続する硬化接着剤層と、を備える。
【０００７】
一実施例において、前記基板は、各前記第１導電線及び各前記第２導電線をそれぞれカバーする保護膜層をさらに備え、各前記第１導電線をカバーする前記保護膜層には、当該第１導電線の一部を露出させるためのノッチが開設されている。
【０００８】
一実施例において、前記保護膜層は、それぞれ前記ボトムプレートの両側に設けられたトッププレートと、各前記第１導電線と対応する前記トッププレートとの間、及び各前記第２導電線と対応する前記トッププレートとの間にそれぞれ設けられた絶縁層と、を備え、各前記ノッチは、対応する前記トッププレートに開設された第１貫通孔と、対応する前記絶縁層に開設された第２貫通孔とを含み、各前記第１貫通孔は対応する前記第２貫通孔と連通している。
【０００９】
一実施例において、各前記第１導電線と、対応する前記第２導電線と、対応する前記導電接続線とが一体成形されている。
【００１０】
一実施例において、前記フィラメント構造は、各前記発光チップを封止する封止剤層をさらに備え、前記封止剤層が前記基板上に設けられている。
【００１１】
一実施例において、複数組の前記発光チップは、若干数の赤色発光源と、若干数の緑色発光源と、若干数の青色発光源とを含む３組に分けられ、複数の前記導線は、若干数の前記赤色発光源を電気的に接続する第１金属線と、若干数の前記緑色発光源を電気的に接続する第２金属線と、若干数の前記青色発光源を電気的に接続する第３金属線とを含む。
【００１２】
他の態様は、口金と、前記口金に取り付けられた駆動部材と、前記口金をカバーするように設けられた電球ハウジングと、前記口金に取り付けられた電球芯部と、上述したフィラメント構造と、を備える照明器具であって、前記駆動部材の一端は前記口金に電気的に接続され、前記駆動部材の他端は前記電球芯部に電気的に接続され、前記フィラメント構造の前記基板の両端はそれぞれ前記電球芯部に電気的に接続される照明器具を提供する。
【００１３】
一実施例において、前記フィラメント構造の数が２つであり、各前記フィラメント構造が螺旋状を呈して設けられている。
【考案の効果】
【００１４】
本出願の実施例における上述の１つ又は複数の技術的解決手段は、少なくとも次のいずれかの技術的効果を有している。本出願は複数の導線を２組に分けて、基板の幅方向に沿って、２組の導線をそれぞれ基板の上面と下面に設けることにより、導線が基板の上面に配置される従来の形態に比べ、導線が基板の上面のみに配置されることで占められる幅を小さくすることができ、隣接する２本の導線上の発光チップを基板の幅方向に位置ずれに分布させ、そして基板の長手方向に部分的に重ねさせることが実現でき、基板の幅を小さくすることに寄与することができる。
【００１５】
本出願の実施形態に係る技術的解決手段をより明らかにするために、以下、実施例又は例示的な説明に使用する必要がある図面を簡単に説明するが、明らかなことに、以下の説明における図面は、本出願のいくつかの実施例に過ぎない。当業者であれば、創造的な工夫をせずに、これらの図面により他の図面を取得することができる。
【図面の簡単な説明】
【００１６】
【図１】比較例により提供されるフィラメント構造の平面図である。
【図２】本出願の実施形態により提供される照明器具の構造を示す図である。
【図３】本出願の実施形態により提供されるフィラメント構造の断面を示す図である。
【図４】本出願の実施形態により提供されるフィラメント構造の平面図である。
【図５】本出願の実施形態により提供される基板の一部を示す断面図である。
【考案を実施するための形態】
【００１７】
本出願が解決しようとする技術的問題、技術的解決手段及び考案の効果をより分かりやすくするために、以下に添付図面及び実施例を参照しながら、本出願について詳しく説明する。ここで説明される具体的な実施例は本出願を解釈するためのものに過ぎず、本出願を限定するためのものではないことを理解すべきである。
【００１８】
ある部材が別の部材に「固定」又は「設置」されると称する場合に、それが別の部材に直接的又は間接的に位置するようにしてもよい。ある部材が別の部材に「連結」されると称する場合に、それは、別の部材に直接的又は間接的に連結されるようにしてもよいことに留意されたい。
【００１９】
また、「第１」、「第２」、「第３」という用語は説明の目的だけに用いられ、比較的重要性を指示又は暗示するか、あるいは示された技術的特徴の数を黙示的に指示するためのものと理解してはいけない。したがって、「第１」、「第２」、「第３」などで限定された特徴は、１つ又は複数の該特徴を明示的又は暗黙的に含むことができる。本出願の説明において、別途明確かつ具体的な限定がない限り、「複数」とは、二つ以上を意味する。「若干」とは、特に明確に具体的に限定しない限り、１つ以上を意図する。
【００２０】
本出願の説明において、「中心」、「長さ」、「幅」、「厚さ」、「上」、「下」、「前」、「後」、「左」、「右」、「垂直」、「水平」、「頂」、「底」、「内」、「外」などの用語が示した方位又は位置関係は、図面に示された方位又は位置関係に基づいて本考案を説明しやすくそして簡単化するためのものに過ぎず、装置又は部品が特定の方位を有しそして特定の方位で構成し操作しなければならないことを指したり又は暗示したりするためのものではないため、本考案を限定するためのものではないことを理解されたい。
【００２１】
本出願の説明において、説明の必要があるのは、明確な規定及び限定以外、「装着」、「繋がり」、「接続」等は、広義的に理解されるはずである。例えば、固定接続されてもよく、また分解可能に接続されてもよく、或いは一体に接続されてもよい。機械的に接続されてもよく、又は電気的に接続されてもよい。直接に接続されてもよく、又は中間媒体により間接に接続されてもよい。また２つの部品の内部の接続又は２つの部品の相互作用関係であってもよい。当業者であれば、具体的な状況に応じて上述した用語が本出願における具体的な意味を理解することができる。
【００２２】
本明細書全体において、「１つの実施例」又は「実施例」を参照することは、実施例に関連して説明された特定の特徴、構造、又は特性が本明細書の少なくとも１つの実施例に含まれることを意味する。したがって、「１つの実施例では」又は「いくつかの実施例では」という語句は、明細書全体の様々な箇所に現れており、すべてが同じ実施例を指すわけではない。さらに、１つ又は複数の実施例では、特定の特徴、構造、又は特性を任意の適切な方法で組み合わせることができる。
【００２３】
説明が必要なのは、基板１の幅方向が、図１及び図４において導線２の長手方向と垂直する方向に定義され、基板１の長手方向が、図１及び図４において導線２の長手方向と平行する方向に定義される。
【００２４】
これからは、図３及び図５を参照しながら、本出願の実施例により提供されるフィラメント構造１００について説明する。当該フィラメント構造１００は、基板１と、基板１の一端に取り付けられた複数の正極配線端子４と、基板１の他端に取り付けられた複数の負極配線端子５と、各正極配線端子４と対応する負極配線端子５とを接続する導線２と、基板１に取り付けられた複数組の発光チップ３とを備え、各導線２は、対応する組の発光チップ３を直列又は並列に接続する。ここで、正極配線端子４と負極配線端子５とは同数であり、複数の正極配線端子４は互いに間隔をおいて並設され、複数の負極配線端子５は互いに間隔をおいて並設されている。図１に示すように、比較例は、基板１の上面の両端にそれぞれ設けられた複数の正極配線端子４及び負極配線端子５と、各正極配線端子４と対応する負極配線端子５とを接続する導線２と、各導線２にそれぞれ電気的に接続された複数の発光チップ３とを備えている。各導線２上の複数の発光チップ３が列状に並設され、複数の導線２が共に基板１の上面に設けられ、そこで基板１の幅が大きく占められ、一般的には、基板１の幅が４ｍｍ〜６ｍｍを満たす必要があり、コストが高くなる。
【００２５】
これに対して、本出願は複数の導線を２組に分けて、基板１の幅方向に沿って、２組の導線２をそれぞれ基板１の上面と下面に設けることにより、導線２が基板１の上面のみに配置されることで占められる幅を小さくすることができ、隣接する２本の導線２上の発光チップ３を基板１の幅方向に位置ずれに分布させ、そして基板１の長手方向に部分的に重ねさせることが実現でき、基板１の幅を小さくすることに寄与することができる。また、複数の発光チップ３が間隔をおいて配置することができ、各発光チップ３の放熱効率を高めることができ、フィラメント構造１００の信頼性及び寿命を向上させることができる。各発光チップ３のお互いの遮光度合いが小さく、出射光品質を向上させることができる。このうち、２組の導線２は等分しても不等分してもよく、すなわち、１組の導線２の本数は他組の電線２の本数と等しく、あるいは、一組の導線２の本数が他組の導線２の本数よりも多いか又は少ない。
【００２６】
一実施例では、図５に示すように、本出願により提供されるフィラメント構造１００の１つの具体的な実施形態として、各導線２は、基板１の上面に設けられた第１導電線２１と、基板１の下面に設けられた第２導電線２２と、を含み、基板１には、複数の貫通孔１０が間隔をおいて開設されており、各貫通孔１０には、各第１導電線２１と対応する第２導電線２２とを接続する導電接続線１０１が取り付けられている。このような構造は、各導線２の第１導電線２１と第２導電線２２とを貫通孔１０内に配置された導電接続線１０１を介して接続することができ、これにより基板１の上面と下面に別々に導線を配置することができるため、基板１の上面に配置される導線の本数を少なくすることができ、そして基板１の幅を小さくすることができる。いくつかの実施例では、隣接する２本の導線２のうち、一方の導線２上の第１導電線２１と第２導電線２２とを、それぞれ他方の導線２上の第１導電線２１と第２導電線２２とに基板１の幅方向に沿って位置ずれに分布させることができる。
【００２７】
一実施例では、図５に示すように、本出願により提供されるフィラメント構造１００の１つの具体的な実施形態として、基板１は、複数の貫通孔１０が間隔をおいて開設されたボトムプレート１１と、各第１導電線２１とボトムプレート１１とを接続し、各第２導電線２２とボトムプレート１１とを接続する硬化接着剤層１２と、を備え、ボトムプレート１１の上面及び下面にはそれぞれ硬化接着剤層１２が設けられている。このような構造は、硬化接着剤層１２を介して、各第１導電線２１とボトムプレート１１とを接続し、各第２導電線２２とボトムプレート１１とを接続することにより、第１導電線２１及び第２導電線２２のそれぞれとボトムプレート１１との接続の確実性を向上させることができる。また、硬化接着剤層１２も一定の絶縁保護作用に寄与することができる。
【００２８】
一実施例では、図５に示すように、本出願により提供されるフィラメント構造１００の１つの具体的な実施形態として、基板１は、各第１導電線２１及び各第２導電線２２をそれぞれカバーする保護膜層１３をさらに備え、第１導電線２１をカバーする保護膜層１３には、当該第１導電線２１の一部を露出させるためのノッチ１３０が開設されている。このような構造は、保護膜層１３を介して第１導電線２１と第２導電線２２とを絶縁させて保護することができる。ノッチ１３０を介して第１導電線２１の一部を露出させることができるため、第１導電線２１と外部装置との半田接続を容易にすることができる。このうち、各発光チップ３は、第１導電線２１上に半田ペーストにより半田付けされている。
【００２９】
一実施例では、図５に示すように、本出願により提供されるフィラメント構造１００の１つの具体的な実施形態として、保護膜層１３は、それぞれボトムプレート１１の両側に設けられたトッププレート１３１と、各第１導電線２１と対応するトッププレート１３１との間、及び各第２導電線２２と対応するトッププレート１３１との間にそれぞれ設けられた絶縁層１３２と、を備え、各ノッチ１３０は、対応するトッププレート１３１に開設された第１貫通孔（図示せず）と、対応する絶縁層１３２に開設された第２貫通孔（図示せず）とを含み、各第１貫通孔は対応する第２貫通孔と連通している。このような構造は、それぞれボトムプレート１１の両側にトッププレート１３１を付加することにより、基板１の構造強度を向上させることができる。そして絶縁層１３２を介して各トッププレート１３１とボトムプレート１１とを固定的に接続することができ、一定の絶縁保護作用にも寄与することができる。各第１貫通孔と対応する第２貫通孔との間にノッチ１３０が形成されることにより、第１導電線２１及び／又は第２導電線２２の一部を露出させることができ、外部装置との半田接続を容易にする。
【００３０】
一実施例では、図３に示すように、本出願により提供されるフィラメント構造１００の１つの具体的な実施形態として、フィラメント構造１００は、各発光チップ３を封止する封止剤層６をさらに備え、封止剤層６は基板１の上面に設けられている。このような構造は、封止剤層６を介して発光チップ３をカバーして封止させ、発光チップ３に対する保護作用に寄与することができる。
【００３１】
一実施例では、図５に示すように、本出願により提供されるフィラメント構造１００の１つの具体的な実施形態として、各第１導電線２１と、対応する第２導電線２２と、対応する導電接続線１０１とが一体成形されている。このような構造は、電流と温度との一致性を確保することができ、そして半田付けによる半田接合部の存在により、電流変動が大きくなり、昇温が速くなり、温度が高くなるという現象を回避することができる。
【００３２】
一実施例では、図４に示すように、本出願により提供されるフィラメント構造１００の１つの具体的な実施形態として、複数組の発光チップ３は、若干数の赤色発光源３１と、若干数の緑色発光源３２と、若干数の青色発光源３３とを含む３組に分けられ。複数の導線２は、若干数の赤色発光源３１を電気的に接続する第１金属線２３と、若干数の緑色発光源３２を電気的に接続する第２金属線２４と、若干数の青色発光源３３を電気的に接続する第３金属線２５とを含む。第１金属線２３の両端は、対応する正極配線端子４及び対応する負極配線端子５にそれぞれ接続され、第２金属線２４の両端は、対応する正極配線端子４及び対応する負極配線端子５にそれぞれ接続され、第３金属線２５の両端は、対応する正極配線端子４及び対応する負極配線端子５にそれぞれ接続されている。このような構造は、複数の発光チップ３を、若干数の赤色発光源３１と若干数の緑色発光源３２と若干数の青色発光源３３とに分けることにより、フィラメント構造１００の多色発光を実現し、照明器具の多彩性を向上させることができる。ここで、正極配線端子４と負極配線端子５の数は、電線２の本数と一致していてもよい。他の実施例では、複数の発光チップ３は、２組又は他の数の組に分けられてもよく、複数の発光チップ３は、異なる照明色、照明強度を有する発光源を含むことができ、ここではいずれも唯一の限定をしない。
【００３３】
一実施例では、若干数の赤色発光源３１の間は第１金属線２３を介して直列に接続され、若干数の緑色発光源３２の間は第２金属線２４を介して直列に接続され、若干数の青色発光源３３の間は第３金属線２５を介して直列に接続される。他の実施例では、若干数の赤色発光源３１の間、若干数の緑色発光源３２の間、及び若干数の青色発光源３３の間が並列に接続されてもよい。
【００３４】
一実施例では、基板１の幅範囲は２ｍｍ〜３ｍｍである。このような構造は、従来の基板１の幅が４ｍｍ〜６ｍｍであったことに比べて、本出願の基板１の幅が小さく、コストが低い。
【００３５】
これからは、図２を参照しながら、本出願の実施例により提供される照明器具について説明する。当該照明器具は、口金７と、口金７に取り付けられた駆動部材（図示せず）と、口金７をカバーするように設けられた電球ハウジング８と、口金７に取り付けられ電球ハウジング８内に伸び込む電球芯部９と、上述したフィラメント構造１００とを備える。駆動部材の一端は口金７に電気的に接続され、駆動部材の他端は電球芯部９に電気的に接続され、フィラメント構造１００の基板１の両端はそれぞれ電球芯部９に電気的に接続されている。このような構造は、口金７が外部回路と接続する時に、駆動部材と、電球芯部９と、フィラメント構造１００とを介して、各発光チップ３の発光が実現することができる。当該照明器具は、上述したフィラメント構造１００を採用することにより、基板１の幅が小さくなり、小型の照明器具を製造することを容易にする。また、より多いフィラメント構造１００を収容することもでき、照明器具の照明強度及び照明効果を向上させることができる。
【００３６】
一実施例では、図２に示すように、本出願により提供される照明器具の１つの具体的な実施形態として、フィラメント構造１００の数は２つであり、各フィラメント構造が螺旋状を呈して設けられている。このような構造は、フィラメント構造１００を付加することにより、発光チップ３の数を増加させることができ、照明器具の照明強度及び照明効果を向上させることができる。他の実施例では、フィラメント構造１００の数や形状などは、実際の必要に応じて調整することができ、ここでは唯一の限定をしない。
【００３７】
上記は本出願の選択できる実施例に過ぎず、本出願を限定するためのものではなく、本出願の精神及び原則の範疇においてなされたあらゆる修正、等価置換及び改良などは、本出願の保護範囲に含まれるはずである。
【符号の説明】
【００３８】
１００  フィラメント構造
１  基板
１０  貫通孔
１０１  導電接続線
１１  ボトムプレート
１２  硬化接着剤層
１３  保護膜層
１３０  ノッチ
１３１  トッププレート
１３２  絶縁層
２  導線
２１  第１導電線
２２  第２導電線
２３  第１金属線
２４  第２金属線
２５  第３金属線
３  発光チップ
３１  赤色発光源
３２  緑色発光源
３３  青色発光源
４  正極配線端子
５  負極配線端子
６  封止剤層
７  口金
８  電球ハウジング
９  電球芯部
【図１】
0003232477.tif 000003
【図２】
0003232477.tif 000004
【図３】
0003232477.tif 000005
【図４】
0003232477.tif 000006
【図５】
0003232477.tif 000007